(57)【要約】【課題】外力が外部被覆層に作用してもマーキングのところで剥がれるのを防ぎ、かつ光ファイバの伝送特性の劣化も抑えるようにした光ファイバ心線及びその心線を集合化した光ファイバケーブルを提供すること。【解決手段】光ファイバ素線の被覆層１４上に識別用のマーキング１５ａ，１５ｂ，１５ｃを施し、更にその外側に着色層１６を配して成る光ファイバ心線１０であって、これらマーキング１５ａ，１５ｂ，１５ｃを含む着色層１６の被覆層１４に対する密着力が４０ｇ／ｍｍ以上であること。【選択図】  図１
2004157193.tif 000002
【特許請求の範囲】
【請求項１】
光ファイバ素線の被覆層上に識別用のマーキングを施し、更にその外側に着色層を配して成る光ファイバ心線であって、前記マーキングを含む着色層の被覆層に対する密着力が４０ｇ／ｍｍ以上である光ファイバ心線。
【請求項２】
請求項１記載の光ファイバ心線を集合してユニット化した光ファイバケーブル。
【発明の詳細な説明】
【０００１】
【産業上の利用分野】
この発明は、光ファイバ素線の被覆層上に識別用のマーキングを施し、更にその外側に着色層を配して成る光ファイバ心線及びこの光ファイバ心線を用いた光ファイバケーブルに関する。
【０００２】
【従来の技術】
光ファイバ素線の被覆層上に識別用のマーキングを施して光ファイバ心線を識別するようにしたものとして、例えば特開２００１−１８３５５８号公報に記載の光ファイバ心線が知られている。図５は同公報に示された光ファイバ心線の斜視図である。
【０００３】
図５において、この光ファイバ心線１はガラスファイバ２と、このファイバ２の外側に被覆されている被覆層３から成る光ファイバ素線と、更にこの被覆層３の長手方向に間欠的に施されているマーキング部３ａ，３ｂ，３ｃと、外部被覆層４から構成されている。
【０００４】
そして、このマーキング部３ａ，３ｂ，３ｃは３色の色の組み合わせによって光ファイバ心線１の識別を行っている。近年においては、識別可能心数を増大させることが要求されており、このためにマーキング部の色の数を増やしたり、マーキング部そのものを識別コード化して並べるようにしている。
【０００５】
【特許文献１】
特開２００１−１８３５５８号公報
【０００６】
【発明が解決しようとする課題】
しかしながら、上述した従来の光ファイバ心線はパスラインの過程でコロやプーリ等にしごかれ、外部被覆層４がマーキング部３ａ，３ｂ，３ｃのところで剥がれ識別不能になることがあった。そしてその外部被覆層４の剥がれがもとで、心線の長手方向に亘って微少な応力が発生し光ファイバの伝送特性の劣化も発生した。
【０００７】
本発明はこのような事情に鑑みて成されたもので、その目的とするところは、外力が外部被覆層に作用してもマーキングのところで剥がれるのを防ぎ、かつ光ファイバの伝送特性の劣化も抑えるようにした光ファイバ心線及びその心線を集合化した光ファイバケーブルを提供することにある。
【０００８】
【課題を解決するための手段】
上記課題を解決するために、本発明の光ファイバ心線は、光ファイバ素線の被覆層上に識別用のマーキングを施し、更にその外側に着色層を配して成る光ファイバ心線であって、前記マーキングを含む着色層の被覆層に対する密着力が４０ｇ／ｍｍ以上であるようにすることにある。
このようにすることにより、着色層の被覆層に対する密着力が４０ｇ／ｍｍ以上であれば、光ファイバ心線がパスラインの過程でコロやプーリ等にしごかれても、着色層がマーキングのところで剥がれることがないので、心線の識別を確保でき伝送損失の増大を防ぐこともできる。また、着色層とマーキングとの組合せで識別能力を飛躍的に増大させることができる。
【０００９】
本発明の光ファイバケーブルは、前記光ファイバ心線を集合してユニット化することにある。
このようにすることにより、多数の光ファイバ心線が多数混在していても、各心線毎に識別が可能であるから配線作業も能率的に行える。
【００１０】
【実施例】
以下、本発明の光ファイバ心線の構造を図１及び図２に基づいて説明する。
図１は本発明の光ファイバ心線の斜視図であり、図２は図１の断面図である。
【００１１】
図１において、１０は光ファイバ心線であり、中央にガラスファイバのコア１１とクラッド１２から成る光ファイバ裸線１３と、その外周を取り巻く素線保護と機械的強度の保障のための樹脂から成る被覆層１４で構成されている。
【００１２】
更に、この被覆層１４の外周には円周方向に施されたマーキング列１５ａ，１５ｂ，１５ｃが心線の長手方向に間隔を置いて連続的に設けられている。このマーキングは識別用インクを被覆層１４に塗布して、マーキング列１５ａ，１５ｂ，１５ｃを互いに異なる色に着色したり、各マーキングの幅寸法を変えてバーコードの如く配列することで識別能力を上げている。
【００１３】
識別用インクを塗布した後、最外層は着色層１６であり、ＵＶ硬化型樹脂にて形成する。着色層１６の色はマーキング列１５ａ，１５ｂ，１５ｃで使用した色以外のものを用いることで識別能力を上げることができる。
【００１４】
この着色層１６がマーキング列１５ａ，１５ｂ，１５ｃも含めて被覆層１４に対し剥がれ難くするためには、その密着力を向上させることが重要であり、密着力の向上のためのファクタとしては、被覆層１４の表面性、識別用インクの物性或いは着色材の硬化度等があげられるが、もっとも効果的なのは着色材の硬化度を増大させることである。
【００１５】
そこで、被覆層１４に対する着色層１６の密着力を種々変化させたファイバ心線を多数用意して、密着力の評価テストを行った。図３は評価テストに用いた冶具の概略図であり、図４は評価テストに基づく破断結果を示した説明図である。
【００１６】
図３において、ファイバ心線１０をその心線径に合った溝を有する固定具２０に所定長接着し、３ｍｍ／ｍｉｎの引っ張り速度で光ファイバ心線１０を引っ張り、そのときの最大応力をロードセル２１で計測した。密着力の大きさは心線に作用した最大応力を固定具２０に固定した心線長で除した値とする。
【００１７】
テスト結果は、図４（ａ）に示すように、密着力がほぼ３０ｇ／ｍｍ以下のものでは着色層１６のみが鞘状に引き抜けた。密着力が４０ｇ／ｍｍを超えると、図４（ｂ）に示すように、被覆層が破断しファイバ裸線１３が露出した。この結果からもわかるように、識別用のマーキングも含めて被覆層１４に対する密着力を４０ｇ／ｍｍ以上としておけば、着色層１６で引き抜けるようなことは起こらず、マーキングが識別不能となるような状況は避けられる。
【００１８】
最後に、着色層の密着力が異なるマーキング入りの光ファイバ心線を試作し、しごき温特の評価を行った。表１はしごき試験後の外観観察結果としごき温特（しごき試験後の伝送ロスの温度特性）の評価の結果を表したものである。しごき温特の測定は、パスライン通過を模擬したしごき試験を実施した心線で、マイナス４０℃からプラス８５℃の伝送ロスを測った。
【表１】
2004157193.tif 000003
【００１９】
この表１からわかるように、着色層の密着力がマーキング部で５０ｇ／ｍｍ以上、マーキング部以外で６０ｇ／ｍｍ以上ある実施例１ないし４のものは、しごき試験後の外観観察において異常は見られず、しごき温特のロス変動も小さかった。
【００２０】
しかし比較例１に示すように、たとえマーキング部以外で密着力が６０ｇ／ｍｍ以上あるものでも、マーキング部で密着力が３０ｇ／ｍｍしかないものは、マーキング部に着色剥がれが生じマイナス４０℃でのロス変動値が大きかった。また、比較例２に示すように、密着力が２０ｇ／ｍｍ程度であると、簡単に着色層の剥がれが生じ、しごき温特も、マイナス４０℃でのロス変動値が大きくなることが判明した。
【００２１】
以上の結果から、少なくとも着色層の密着力を４０ｇ／ｍｍ以上としておけば、着色層が鞘状に引き抜けるようなことはなく、マーキングの着色剥がれなどは起きないので、識別が可能である。また、コロやプーリ等で心線がしごかれても伝送特性の劣化を抑えることができる。
【００２２】
以上光ファイバ心線１本について述べてきたが、この心線をユニット化して複数の心線から成る光ファイバケーブルとして使用する際も、各心線毎に識別が可能であるから配線作業も能率的に行える。
【００２３】
【発明の効果】
本発明によれば、次のような効果が得られる。
【００２４】
（ａ）請求項１の発明によれば、着色層の被覆層に対する密着力が４０ｇ／ｍｍ以上であれば、光ファイバ心線がパスラインの過程でコロやプーリ等にしごかれても、着色層がマーキングのところで剥がれることがないので、心線の識別を確保でき伝送損失の増大を防ぐこともできる。また、着色層とマーキングとの組合せで識別能力を飛躍的に増大させることができる。
【００２５】
（ｂ）請求項２の発明によれば、多数の光ファイバ心線が多数混在していても、各心線毎に識別が可能であるから配線作業も能率的に行える。
【図面の簡単な説明】
【図１】本発明の光ファイバ心線の斜視図である。
【図２】図１のＡ−Ａ断面図である。
【図３】評価テストに用いた冶具の概略図である。
【図４】評価テストに基づく破断結果を示した説明図である。
【図５】従来の光ファイバ心線の斜視図である。
【符号の説明】
１・・・光ファイバ心線
２・・・ガラスファイバ
３・・・被覆層
３ａ，３ｂ，３ｃ・・・マーキング部
４・・・外部被覆層
１０・・・光ファイバ心線
１１・・・コア
１２・・・クラッド
１３・・・ファイバ裸線
１４・・・被覆層
１５ａ，１５ｂ，１５ｃ・・・マーキング列
１６・・・着色層
２０・・・固定具
２１・・・ロードセル
【図１】
2004157193.tif 000004
【図２】
2004157193.tif 000005
【図３】
2004157193.tif 000006
【図４】
2004157193.tif 000007
【図５】
2004157193.tif 000008